(57)【要約】【課題】  ハンズフリーで、手先等の手のごく近くの対象物を、効率良くかつ他の物体に遮られることなく照明する。【解決手段】  照明装置は、使用者の手の指１０１に対して着脱可能な本体１と、本体１及び指１０１を覆うように装着及び取り外し可能な指サック状のカバー２とを備える。本体１の前部には、ＬＥＤ１２が設けられる。カバー２の前部には、ＬＥＤ１２からの照明光を透過させる透光部１６が設けられる。使用者は、使用に際して、本体１を指１０１に装着し、更に、この状態の本体１及び指１０１にカバー２を被せる。【選択図】  図１
2007087832.tif 000002
【特許請求の範囲】
【請求項１】
光源を有し使用者の手指に対して着脱可能な本体を、備えたことを特徴とする照明装置。
【請求項２】
前記光源からの照明光の外部への照射中心方向が、前記本体が前記手指に装着されているときに略々前記手指の指先方向となるように構成されたことを特徴とする請求項１記載の照明装置。
【請求項３】
前記光源からの照明光が、前記本体が装着された前記手指の先端付近から外部へ照射されるように、構成されたことを特徴とする請求項１又は２記載の照明装置。
【請求項４】
前記本体及び前記手指を覆うように装着及び取り外し可能な指サック状又は手袋状のカバーであって、少なくとも一部が前記光源からの照明光を透過させるように構成されたカバーを、備えたことを特徴とする請求項１乃至３のいずれかに記載の照明装置。
【請求項５】
使用者の複数の手指用として前記本体を複数備え、前記複数の本体及び前記複数の手指を覆うように装着及び取り外し可能な手袋状のカバーであって、少なくとも一部が前記複数の各光源からの照明光を透過させるように構成されたカバーを、備えたことを特徴とする請求項１乃至３のいずれかに記載の照明装置。
【請求項６】
前記本体に対して着脱可能な舌押圧部材を備えたことを特徴とする請求項１又は２記載の照明装置。
【請求項７】
前記本体の姿勢を検出する手段を備え、前記姿勢に応じて前記光源をオン・オフさせることを特徴とする請求項１乃至６のいずれかに記載の照明装置。
【発明の詳細な説明】
【技術分野】
【０００１】
本発明は、照明装置に関し、特に、手元等を照明するのに適した照明装置に関するものである。
【背景技術】
【０００２】
一般的に、手暗がりの場所で細かい作業をする場合には、電気スタンドやヘッドランプなどが用いられ、比較的手元から離れた場所に設置された光源からの照明光が利用されている。
【０００３】
また、医者等が口腔内を見るのに用いられる舌圧子として、光源を有し手で把持される本体と、この本体に対して着脱可能な舌押圧部材と、を備えた舌圧子が提供されている（下記特許文献１，２）。
【特許文献１】実公昭６２−２８９６３号公報
【特許文献２】特開２００４−３０５６８０号公報
【発明の開示】
【発明が解決しようとする課題】
【０００４】
しかしながら、前記電気スタンドやヘッドランプでは、ハンズフリーであるため手の動きに支障を来すことはないものの、手先等の手のごく近くの対象物を効率良くかつ他の物体に遮られることなく照明することは困難であった。
【０００５】
また、前記従来の舌圧子では、照明機能を有することから懐中電灯等を必要としないため口腔内が見やすくなるものの、やはり本体を手で把持しなければならず、必ずしも使い勝手が良くなかった。
【０００６】
本発明は、このような事情に鑑みてなされたもので、ハンズフリーで手先等の手のごく近くの対象物を効率良くかつ他の物体に遮られることなく照明することができる照明装置を提供することを目的とする。
【０００７】
また、本発明は、懐中電灯等を必要とせずに口腔内が見やすいとともに、把持動作が全く必要なくなって一層使い勝手に優れた、舌圧子として用いることができる照明装置を提供することを目的とする。
【課題を解決するための手段】
【０００８】
前記課題を解決するため、本発明の第１の態様による照明装置は、光源を有し使用者の手指に対して着脱可能な本体を、備えたものである。
【０００９】
この第１の態様によれば、光源を有する本体を使用者の手指に装着することで、ハンズフリーで、手先等の手のごく近くの対象物を、効率良くかつ他の物体に遮られることなく、照明することができる。
【００１０】
本発明の第２の態様による照明装置は、前記第１の態様において、前記光源からの照明光の外部への照射中心方向が、前記本体が前記手指に装着されているときに略々前記手指の指先方向となるように構成されたものである。
【００１１】
この第２の態様によれば、指で指し示した方向が照明されることになる。もっとも、前記第１の態様では、照射方向は必ずしもこの方向に限定されるものではない。
【００１２】
本発明の第３の態様による照明装置は、前記第１又は第２の態様において、前記光源からの照明光が、前記本体が装着された前記手指の先端付近から外部へ照射されるように、構成されたものである。
【００１３】
この第３の態様によれば、照明光が手指の先端付近から外部へ照射されるので、指先付近の対象物をより効率良く照射することができる。
【００１４】
本発明の第４の態様による照明装置は、前記第１乃至第３のいずれかの態様において、前記本体及び前記手指を覆うように装着及び取り外し可能な指サック状又は手袋状のカバーであって、少なくとも一部が前記光源からの照明光を透過させるように構成されたカバーを、備えたものである。
【００１５】
この第４の態様によれば、手指及び本体が前記カバーにより覆われるので、前記カバーを使い捨てて毎回交換することで、医療その他の用途において細菌の感染等を防止することができ、衛生的である。
【００１６】
本発明の第５の態様による照明装置は、前記第１乃至第３のいずれかの態様において、使用者の複数の手指用として前記本体を複数備え、前記複数の本体及び前記複数の手指を覆うように装着及び取り外し可能な手袋状のカバーであって、少なくとも一部が前記複数の各光源からの照明光を透過させるように構成されたカバーを、備えたものである。
【００１７】
この第５の態様によれば、複数の手指（例えば、親指と人差し指）に前記複数の本体を装着することで、手先等の手のごく近くの対象物を種々の方向から照明することができ、より効果的な照明が可能となる。また、前記第５の態様によれば、手指及び本体が前記カバーにより覆われるので、前記カバーを使い捨てて毎回交換することで、医療その他の用途において細菌の感染等を防止することができ、衛生的である。
【００１８】
なお、前記第４及び第５の態様による照明装置は、例えば、歯科医が口腔内の治療をする際に用いたり、手暗がりの場所でメスやピンセットを使う際に用いたりすることができる。また、前記第４及び第５の態様において、必要に応じて、前記カバーにおける光源からの光の透過部に、凸レンズ状等の光集光部や、光拡散部を設けてもよい。
【００１９】
本発明の第６の態様による照明装置は、前記第１又は第２の態様において、前記本体に対して着脱可能な舌押圧部材を備えたものである。
【００２０】
この第６の態様によれば、舌押圧部材を備えているので、懐中電灯等を必要とせずに口腔内が見やすいとともに、把持動作が全く必要なくなって一層使い勝手に優れた、舌圧子として用いることができる。また、前記第６の態様によれば、舌押圧部材を使い捨てて毎回交換することができ、これにより、細菌の感染等を防止することができ、衛生的である。
【００２１】
本発明の第７の態様による照明装置は、前記第１乃至第６のいずれかの態様において、前記本体の姿勢を検出する手段を備え、前記姿勢に応じて前記光源をオン・オフさせるものである。
【００２２】
前記本体を装着した指の傾き等の姿勢を変えることで、ハンズフリーで光源をオン・オフさせることができるので、不要時に光源を簡単にオフすることができ、これにより省電力化を図ることができる。
【発明の効果】
【００２３】
本発明によれば、ハンズフリーで手先等の手のごく近くの対象物を効率良くかつ他の物体に遮られることなく照明することができる照明装置を提供することができる。
【００２４】
また、本発明によれば、懐中電灯等を必要とせずに口腔内が見やすいとともに、把持動作が全く必要なくなってより一層使い勝手に優れた、舌圧子として用いることができる照明装置を提供することができる。
【発明を実施するための最良の形態】
【００２５】
以下、本発明による照明装置について、図面を参照して説明する。
【００２６】
［第１の実施の形態］
【００２７】
図１は、本発明の第１の実施の形態による照明装置を示す概略斜視図である。図１は、カバー２を本体１に装着した状態を示している。図２は、図１中の本体１を示す概略斜視図である。図３は、図１に示す照明装置の分解側面図である。なお、図３は、本体１を使用者の手の人差し指１０１に装着した状態を示している。また、理解を容易にするため、図１乃至図３において、保持片１１にはハッチングを付している。
【００２８】
本実施の形態による照明装置は、図１乃至図３に示すように、使用者の手の人差し指（中指等の他の指でもよい。）１０１に対して着脱可能な本体１と、本体１及び人差し指１０１を覆うように装着及び取り外し可能な指サック状のカバー２とを備えている。本体１は、例えば、樹脂を成形することで構成される。
【００２９】
本体１は、その後部の下側に、人差し指１０１に対してフリーサイズで装着し得るように、弾性を有する一対の保持片１１を有している。もっとも、本体１を指に装着するための構造は、保持片１１に限定されるものではなく、種々の構造を採用することができる。
【００３０】
本体１の前部には、光源としてのＬＥＤ１２が設けられている。ＬＥＤ１２に代えて、他の光源を用いてもよい。ＬＥＤ１２からの照明光の外部への照射中心方向は、図３に示すように、本体１が人差し指１０１に装着されているときに略々人差し指１０１の指先方向（図３中の左方向）となるように、ＬＥＤ１２が配置されている。なお、図３には、カバー２が図１に示すように本体１に装着された状態であるものとして、カバー２の先端の透光部１６から射出する照明光の様子を示している。用途によっては、照射中心方向は、例えば、前記指先方向に対して直交する方向としてもよい。
【００３１】
なお、本実施の形態では、図３に示すように本体１を人差し指１０１に装着した際にＬＥＤ１２が人差し指１０１の先端付近に位置し、これにより、ＬＥＤ１２からの照明光が、本体１が装着された人差し指１０１の先端付近から外部へ照射されるようになっている。
【００３２】
本体１の後部の上側には、本体１の姿勢を検出する姿勢検出部としての水銀スイッチ（図示せず）を収容した水銀スイッチ収容部１３が設けられている。水銀スイッチは、図面には示していないが、容器内に２つの電極と当該容器の傾きに応じて２つの電極間を短絡したり解放したりする水銀とを収容した構成を有しており、市販品を用いることができる。本実施の形態では、水銀スイッチは、例えば、本体１の前部と後部とを結ぶ線が、前部を下側とし後部を上側とした傾き角（水平面に対する傾き角）が所定角度（例えば、０゜）以上となったときにオンし、それ以外の場合にオフするように、その向きが設定されている。
【００３３】
本体１の後部の側部には、ボタン電池（図示せず）を収容した電池収容部１４が設けられている。また、本体１の後部の反対側の側部には、スイッチ付きボリウム１５が設けられている。図面には示していないが、スイッチ付きボリウム１５をオンにすると、前記水銀スイッチがオンであれば、スイッチ付きボリウム１５による調整量に応じた量だけ前記ボタン電池からＬＥＤ１２に給電されて、前記調整量に応じた明るさでＬＥＤ１２が点灯する一方、前記水銀スイッチ及びスイッチ付きボリウム１５の一方又は両方がオフであれば、ＬＥＤ１２が給電されずに消灯するように、配線されている。
【００３４】
カバー２は、例えば通常の指サックと同様にゴム等で構成されているが、その前部には、ＬＥＤ１２からの照明光を透過させる透光部１６が設けられている。透光部１６は、例えば、アクリル等で構成することができる。透光部１６は、単なる窓でもよいし、必要に応じて、凸レンズ状等の光集光部としてもよいし、光拡散部としてもよい。透光部１６を光集光部とすれば、照明光をスポット光にすることができ、透光部１６を光拡散部とすれば、照明光を拡散光とすることができる。なお、カバー２の全体を透光性を有する材料で構成すれば、特別な透光部１６を前部に設ける必要はない。なお、本体１及び人差し指１０１を覆うようにカバー２を装着した際に、透光部１６がＬＥＤ１２の付近に位置するようになっている。
【００３５】
使用者は、本実施の形態による照明装置の使用に際して、図３に示すように、人差し指１０１を、本体１の後部から一対の保持片１１間を通して本体１の上側部分の下面に沿って、例えばＬＥＤ１２を取り付けた前部の裏まで差し込み、更に、この状態の本体１及び人差し指１０１にカバー２を被せる。
【００３６】
そして、スイッチ付きボリウム１５をオンするとともに所望の明るさになるように調整した後、人差し指１０１を傾けると、ＬＥＤ１２が所望の明るさで点灯し、ＬＥＤ１２からの照明光がカバー２の透光部１６を介して照射される。
【００３７】
したがって、本実施の形態によれば、このようにＬＥＤ１２を有する本体１を使用者の手指１０１に装着することで、ハンズフリーで、手先等の手のごく近くの対象物を、効率良くかつ他の物体に遮られることなく、照明することができる。
【００３８】
また、本実施の形態によれば、手指１０１及び本体１がカバー２により覆われるので、カバー２を使い捨てて毎回交換することで、医療その他の用途において細菌の感染等を防止することができ、衛生的である。もっとも、用途によっては、カバー２を用意せずに、カバー２なしで本体１を使用してもよい。
【００３９】
さらに、本実施の形態によれば、前記水銀スイッチを備えているので、本体１を装着した人差し指１０１の傾きを変えることで、ハンズフリーでＬＥＤ１２をオン・オフさせることができるので、不要時にＬＥＤ１２を簡単にオフすることができ、これにより省電力化を図ることができる。
【００４０】
また、本実施の形態によれば、スイッチ付きボリウム１５をオフにすることで、長期不使用時に電源を切っておくことができるので、不用意にＬＥＤ１２がオンして無駄に電力を消費するのを防止することができる。さらに、本実施の形態によれば、スイッチ付きボリウム１５を調整することで、ＬＥＤ１２の明るさを調整することができるので、明る過ぎず暗過ぎない適度な輝度の照明が可能となり、作業に適した照明と省電力化とを両立させることができる。
【００４１】
なお、本実施の形態では、本体１は、本体１のＬＥＤ１２取り付け部の裏から保持片１１までの間の下側がオープンな構造となっている。このため、図３に示すように、本体１を人差し指１０１に装着したときに、人差し指１０１の指先の腹が本体１によって覆われないので、指先に伝わる微妙な感触を損なうことがない。したがって、例えば、歯科医が先端に鑢を付けたシリンダーで歯の治療をするとき、治療部がハンズフリーで照明される一方、指先に伝わる微妙な感触を損なうことがなくて治療し易くなる。
【００４２】
［第２の実施の形態］
【００４３】
図４は、本発明の第２の実施の形態による照明装置を示す概略斜視図である。図４は、カバー２３を本体２１，２２に装着した状態を示している。図５及び図６は、図１に示す照明装置の分解側面図である。図５は、本体２１，２２を使用者の手の指１０１，１０２に装着していない状態を示し、図６は、本体２１，２２を使用者の手の指１０１，１０２にそれぞれ装着した状態を示している。理解を容易にするため、図５及び図６において、保持片１１にはハッチングを付している。
【００４４】
図５及び図６において、図１中の要素と同一又は対応する要素には同一符号を付し、その重複する説明は省略する。
【００４５】
本実施の形態による照明装置は、人差し指１０１に対して着脱可能な本体２１と、親指１０２に対して着脱可能な本体２２と、本体２１，２２及び指１０１，１０２を覆うように装着及び取り外し可能な手袋状のカバー２３と、電源部２４と、を備えている。電源部２４は、マジックファスナ等を有するバンド状の手首装着具３２により、使用者の手首に着脱し得るようになっている。
【００４６】
本体２１，２２は、基本的に前記第１の実施の形態による照明装置の本体１と同様に構成されているが、以下に説明する点で異なっている。前記第１の実施の形態では、本体１に電池収容部１４及びスイッチ付きボリウム１５が設けられていたのに対し、本実施の形態では、本体２１，２２には電池収容部及びスイッチ付きボリウムは設けられておらず、その代わりに、本体２１，２２の共用電源としての電池（図示せず）が電源部２４に設けられ、スイッチ付きボリウム１５にそれぞれ相当する本体２１用スイッチ付きボリウム１５ａ及び本体２２用スイッチ付きボリウム１５ｂが電源部２４に設けられている。そして、本体２１，２２と電源部２４との間が電線３１によって接続されており、本体２１，２２は本体１と同様の電気的な動作を行うようになっている。なお、電源部２４は、電池の代わりに、商用電源を所定の直流電圧に変換するＡＣアダプタを有していてもよい。
【００４７】
なお、本実施の形態では、親指１０２用の本体２２の水銀スイッチ収容部１３に収容された水銀スイッチは、親指１０２の動きにより適合するように、人差し指１０１用の本体２１の水銀スイッチ収容部１３に収容された水銀スイッチと異なる傾斜角度や向きでオン・オフするように、適宜設定してもよい。
【００４８】
本実施の形態では、カバー２３は、例えば、通常のゴム手袋と同様にゴム等で構成されるが、その人差し指部分２３ａの前部及び親指部分２３ｂの前部には、本体２１，２２のＬＥＤ１２からの照明光をそれぞれ透過させる透明部１６ａ，１６ｂ（前記第１の実施の形態のカバー２の透光部１６に相当）が設けられている。カバー２３の人差し指部分２３ａ及び親指部分２３ｂは、前記第１の実施の形態のカバー２に相当している。
【００４９】
使用者は、本実施の形態による照明装置の使用に際して、電源部２４を手首に装着した後、図６に示すように本体２１，２２を人差し指１０１及び親指１０２にそれぞれ装着し、更に、本体２１及び人差し指１０１が人差し指部分２３ａで覆われるとともに本体２２及び親指１０２が親指部分２３ｂで覆われるように、手に手袋状のカバー２３を装着する。
【００５０】
そして、スイッチ付きボリウム１６ａ，１６ｂをオンするとともに所望の明るさになるようにそれぞれ調整した後、人差し指１０１及び親指１０２を傾けると、各本体２１，２２のＬＥＤ１２がそれぞれ所望の明るさで点灯し、各本体２１，２２のＬＥＤ１２からの照明光がカバー２３の透光部１６ａ，１６ｂをそれぞれ介して照射される。
【００５１】
したがって、本実施の形態によっても、前記第１の実施の形態と同様の利点が得られる。また、本実施の形態によれば、複数の本体２１，２２が設けられているので、対象物を種々の方向から照明することができ、より効果的な照明が可能となるという利点も得られる。
【００５２】
［第３の実施の形態］
【００５３】
図７は、本発明の第３の実施の形態による照明装置を示す概略斜視図である。図７は、舌押圧部材４２を本体４１に装着した状態を示している。図８は、図７に示す照明装置の分解平面図である。図９は、図７に示す照明装置の分解側面図である。なお、理解を容易にするため、図７及び図９において、保持片５１にはハッチングを付している。
【００５４】
本実施の形態による照明装置は、図７乃至図９に示すように、使用者の手の人差し指（中指等の他の指でもよい。）１０１に対して着脱可能な本体４１と、本体１に対して着脱可能な舌押圧部材４２とを備え、舌圧子として用いられるようになっている。本体４１及び舌押圧部材４２は、例えば、それぞれ樹脂を成形することで構成される。
【００５５】
本体４１は概略円筒状に構成され、その後部の下側に、人差し指１０１に対してフリーサイズで装着し得るように、弾性を有する一対の保持片５１を有している。
【００５６】
本体４１の上部には、光源としてのＬＥＤ５３及び姿勢検出部としての水銀スイッチ５４を収容した収容部５５が、台部５６を介して設けられている。ＬＥＤ５３からの照明光の外部への照射中心方向は、図７に示すように、本体４１が人差し指１０１に装着されているときに略々人差し指１０１の指先方向となるように、ＬＥＤ５３が配置されている。
【００５７】
水銀スイッチ５４は、例えば、本体１の前部（舌押圧部材４２の側）と後部とを結ぶ線が、前部を下側とし後部を上側とした傾き角（水平面に対する傾き角）が所定角度（例えば、０゜）以上となったときにオンし、それ以外の場合にオフするように、その向きが設定されている。
【００５８】
本体１の側部には、ボタン電池（図示せず）を収容した電池収容部５７が設けられている。図面には示していないが、水銀スイッチ５４がオンであれば、前記ボタン電池からＬＥＤ５３に給電されて、ＬＥＤ５３が点灯する一方、水銀スイッチ５４がオフであれば、ＬＥＤ５３が給電されずに消灯するように、配線されている。なお、前記第１の実施の形態の場合と同様に、スイッチ付きボリウムを追加してもよい。
【００５９】
舌押圧部材４２は、半球状の基部４２ａと、該基部４２ａに端部が固定され実際に舌等に押圧される箆状部４２ｂとから構成されている。基部４２ａは、本体４１の台５６に適合する切り込み６１を有している。本体４１の台５６に舌押圧部材４２の基部４２ａの切り込み６１を合わせて、舌押圧部材４２の基部４２ａを本体４１の前端部に差し込むことで、舌押圧部材４２を本体４１に対して装着し得るようになっている。
【００６０】
使用者は、本実施の形態の照明装置の使用に際して、本体４１の内部に人差し指１０１を後部から差し込むことで、人差し指１０１に本体４１を装着し、更に、舌押圧部材４２を本体４１に装着する。なお、人差し指１０１を差し込む前に、本体４１に舌押圧部材４２を装着しておいてもよい。
【００６１】
そして、患者の口腔内に舌押圧部材４２の箆状部４２ｂを入れて、人差し指１０１を傾けると、ＬＥＤ５３が点灯して口腔内が照明される。このとき、箆状部４２ｂで舌を下方に押圧すると、喉の状態を見ることができる。
【００６２】
したがって、本実施の形態によれば、このようにＬＥＤ５３を有する本体４１を使用者の手指１０１に装着することで、本体４１等を把持することなくハンズフリーで、口腔内や喉を照明することができる。このように、把持動作が全く必要なくなるので、使い勝手に向上する。
【００６３】
また、本実施の形態によれば、舌押圧部材４２が本体４１に対して着脱可能であるので、舌押圧部材４２を使い捨てて毎回交換することで、細菌の感染等を防止することができ、衛生的である。
【００６４】
さらに、本実施の形態によれば、水銀スイッチ５４を備えているので、本体４１を装着した人差し指１０１の傾きを変えることで、ハンズフリーでＬＥＤ５３をオン・オフさせることができるので、不要時にＬＥＤ５３を簡単にオフすることができ、これにより省電力化を図ることができる。
【００６５】
以上、本発明の各実施の形態について説明したが、本発明はこれらの実施の形態に限定されるものではない。
【図面の簡単な説明】
【００６６】
【図１】本発明の第１の実施の形態による照明装置を示す概略斜視図である。
【図２】図１中の本体を示す概略斜視図である。
【図３】図１に示す照明装置の分解側面図である。
【図４】本発明の第２の実施の形態による照明装置を示す概略斜視図である。
【図５】本体を指に装着していない状態における、図１に示す照明装置の分解側面図である。
【図６】本体を指に装着した状態における、図１に示す照明装置の分解側面図である。
【図７】本発明の第３の実施の形態による照明装置を示す概略斜視図である。
【図８】図７に示す照明装置の分解平面図である。
【図９】図７に示す照明装置の分解側面図である。
【符号の説明】
【００６７】
１，２１，２２，４１  本体
２  指サック状のカバー
１２，５３  ＬＥＤ
１５  透光部
２３  手袋状のカバー
４２  舌押圧部材
５４  水銀スイッチ（姿勢検出部）
１０１  人差し指
１０２  親指
【図１】
2007087832.tif 000003
【図２】
2007087832.tif 000004
【図３】
2007087832.tif 000005
【図４】
2007087832.tif 000006
【図５】
2007087832.tif 000007
【図６】
2007087832.tif 000008
【図７】
2007087832.tif 000009
【図８】
2007087832.tif 000010
【図９】
2007087832.tif 000011